(57)【要約】      （修正有）【課題】Ｘ線透視撮影装置において高電圧発生器と透視撮影台制御ユニットを同一の筐体に収納する。【解決手段】透視撮影台制御ユニットと高電圧発生器からそれぞれの筐体部を取り除き、その内蔵物に相当する透視撮影台制御ユニット１７と高電圧発生器１８を同一の筐体に収納して制御ユニット１２を構成する。その結果制御ユニット１２の設置面積は別々に筐体を有していた透視撮影台制御ユニットおよび高電圧発生器の設置面積の合計より少なくなる。【選択図】図１
0003114400.tif 000002
【実用新案登録請求の範囲】
【請求項１】
Ｘ線管装置と、前記Ｘ線管装置から照射されたＸ線を受光してＸ線画像を撮影するＸ線撮像装置と、前記Ｘ線管装置と前記Ｘ線撮像装置を対向して保持し、その間に被検体を載置する透視撮影台と、前記Ｘ線管装置に高電圧を供給する高電圧発生器と前記Ｘ線撮像装置から出力される撮影画像を表示するモニタ装置と、装置全体を統合的に制御する制御操作卓により構成されるＸ線透視撮影装置において、前記高電圧発生器と前記透視撮影台の制御部を同一の筐体に収納したことを特徴とするＸ線透視撮影装置。
【請求項２】
Ｘ線管装置と、前記Ｘ線管装置から照射されたＸ線を受光してＸ線画像を撮影するＸ線撮像装置と、前記Ｘ線管装置と前記Ｘ線撮像装置を対向して保持し、その間に被検体を載置する透視撮影台と、前記Ｘ線管装置に高電圧を供給する高電圧発生器と前記Ｘ線撮像装置から出力される撮影画像を表示するモニタ装置と、装置全体を統合的に制御する制御操作卓により構成されるＸ線透視撮影装置において、前記高電圧発生器と前記透視撮影台の制御部を前記透視撮影台に設けた収納部に収納したことを特徴とするＸ線透視撮影装置。
【考案の詳細な説明】
【技術分野】
【０００１】
本考案は診断用のＸ線透視撮影装置に関する。
【背景技術】
【０００２】
一般なＸ線透視撮影装置の構成例を図３に示す。検査を行うとき操作者（図示しない）は被検者（図示しない）を透視撮影台４の天板上に載せた後、操作パネル１Ａおよび操作用モニタ１Ｂを用いて装置全体を統合的に制御する制御操作卓１から透視撮影台制御ユニット３を経由して透視撮影台４に信号を送り透視撮影台４の各部の動きを制御して被検者を撮影に適した位置に移動させる。その後制御操作卓１から高電圧発生器２を経由してＸ線管装置５に高電圧を印加することによりＸ線管装置５から被検者にＸ線を照射する。被検者を透過したＸ線はイメージインテンシファイア６およびテレビカメラ７によりビデオ信号に変換され、透視あるいは撮影画像として画像モニタ１Ｃに表示される。なお８〜１２は各装置あるいはユニット間を接続するケーブルである。（例えば特許文献１および２参照）
【特許文献１】特開２００２−１００４９８号公報
【特許文献２】特開２００２−０００５９１号公報
【考案の開示】
【考案が解決しようとする課題】
【０００３】
上述したＸ線透視撮影装置において高電圧発生器２と透視撮影台制御ユニット３は通常別々の筐体に収納されているため、一般開業医の検査室等設置面積の少ない場所に設置する場合スペースの確保に苦労することが多い。本考案はこの問題を解決するためのものである。
【課題を解決するための手段】
【０００４】
請求項１の考案は上記の目的を達成するために、Ｘ線管装置と、前記Ｘ線管装置から照射されたＸ線を受光してＸ線画像を撮影するＸ線撮像装置と、前記Ｘ線管装置と前記Ｘ線撮像装置を対向して保持し、その間に被検体を載置する透視撮影台と、前記Ｘ線管装置に高電圧を供給する高電圧発生器と前記Ｘ線撮像装置から出力される撮影画像を表示するモニタ装置と、装置全体を統合的に制御する制御操作卓により構成されるＸ線透視撮影装置において、前記高電圧発生器と前記透視撮影台の制御部を同一の筐体に収納したＸ線透視撮影装置を提供する。
【０００５】
請求項２の考案は上記の目的を達成するために、Ｘ線管装置と、前記Ｘ線管装置から照射されたＸ線を受光してＸ線画像を撮影するＸ線撮像装置と、前記Ｘ線管装置と前記Ｘ線撮像装置を対向して保持し、その間に被検体を載置する透視撮影台と、前記Ｘ線管装置に高電圧を供給する高電圧発生器と前記Ｘ線撮像装置から出力される撮影画像を表示するモニタ装置と、装置全体を統合的に制御する制御操作卓により構成されるＸ線透視撮影装置において、前記高電圧発生器と前記透視撮影台の制御部を前記透視撮影台に設けた収納部に収納したＸ線透視撮影装置を提供する。
【考案の効果】
【０００６】
高電圧発生器と透視撮影台の制御部を同一の筐体に収納することにより、または透視撮影台に設けた収納部に収納することにより、それぞれを別々の筐体に収納する場合に比べて設置のために必要な総床面積を小さくすることができるので一般開業医の検査室等設置面積の少ない場所への設置が可能あるいは容易になる。また装置を構成する各ユニット間を接続するケーブルの数が減少するので、据付作業の手間が減少する。さらに請求項２の発明については高電圧発生器とＸ線管装置を接続するケーブルおよび透視撮影台制御ユニットと透視撮影台を接続する配線の長さが短くなるのでこれらから発生するノイズが低減され、装置自身あるいは他の電子機器への悪影響が軽減される。
【考案を実施するための最良の形態】
【０００７】
以下請求項１および２の考案の実施例をそれぞれ実施例１および２に示す。
【実施例１】
【０００８】
図１を用いて説明する。ただし図１において図３と同じ符号で示される装置あるいはユニット等は図３と同じなのでそれらの説明は省略する。また装置全体の動作についても図３を用いて背景技術の項で述べたのと同じなので説明は省略する。
【０００９】
制御ユニット１２には透視撮影台制御ユニット１７と高電圧発生器１８が内蔵されており、これらはそれぞれ図３の透視撮影台制御ユニット３および高電圧発生器２からそれぞれの筐体部を取り除いたものに相当している。その結果制御ユニット１２の設置面積は透視撮影台制御ユニット３および高電圧発生器２の設置面積の合計より少なくなる。また１０、１３、１４、１５は各装置あるいはユニット間を接続するケーブルであるが図３に比べて全体の数が減少する。
【実施例２】
【００１０】
図２を用いて説明する。ただし図２において図３と同じ符号で示される装置あるいはユニット等は図３と同じなのでそれらの説明は省略する。また装置全体の動作についても図３を用いて背景技術の項で述べたのと同じなので説明は省略する。
【００１１】
透視撮影台１６の収納部１６Ａには透視撮影台制御ユニット１７と高電圧発生器１８が内蔵されており、これらはそれぞれ図３の透視撮影台制御ユニット３および高電圧発生器２からそれぞれの筐体部を取り除いたものに相当している。その結果透視撮影台１６の設置面積は透視撮影台４と透視撮影台制御ユニット３および高電圧発生器２の設置面積の合計より少なくなる。また１０および１９は各装置あるいはユニット間を接続するケーブルであるが図３あるいは図１に比べて全体の数が減少する。
【産業上の利用可能性】
【００１２】
本考案は診断用のＸ線透視撮影装置に関する。
【図面の簡単な説明】
【００１３】
【図１】本考案の実施例を説明するための図である。
【図２】本考案の実施例を説明するための図である。
【図３】従来の装置の構成例を説明するための図である。
【符号の説明】
【００１４】
１：制御操作卓
１Ａ：操作パネル
１Ｂ：操作用モニタ
１Ｃ：画像モニタ
２：高電圧発生器
３：透視撮影台制御ユニット
４：透視撮影台
５：Ｘ線管装置
６：イメージインテンシファイア
７：テレビカメラ
８：ケーブル
９：ケーブル
１０：ケーブル
１１：ケーブル
１２：ケーブル
１３：ケーブル
１４：ケーブル
１５：ケーブル
１６：透視撮影台
１６Ａ：収納部
１７：透視撮影台制御ユニット
１８：高電圧発生器
１９：ケーブル
【図１】
0003114400.tif 000003
【図２】
0003114400.tif 000004
【図３】
0003114400.tif 000005